(57)【要約】【課題】検出用タグとアンテナとの距離を短くすることなく、その検出用タグから反射される反射波を強くすることのできる検出用タグ等を提供する。【解決手段】所定の共振周波数を有するコイル８Ａをプリントした第１共振タグ８を備えた検出用タグ２０であって、第１共振タグ８の隣接位置にその第１共振タグと同一の共振周波数を有する第２共振タグ９を備え、この第２共振タグ９は、第１共振タグ８のコイル８Ａの巻回方向と逆向にプリントされたコイル９Ａを有する。【選択図】　図１
2004075366.tif 000002
【特許請求の範囲】
【請求項１】
所定の共振周波数を有するコイルをプリントした第１共振タグを備えた検出用タグであって、
前記第１共振タグの隣接位置にその第１共振タグと同一の共振周波数を有する第２共振タグを備え、
この第２共振タグは、第１共振タグのコイルの巻回方向と逆向にプリントされたコイルを有することを特徴とする検出用タグ。
【請求項２】
被検出体を検出するために請求項１の検出用タグを前記被検出体に貼り付けたことを特徴とする被検出体。
【請求項３】
所定の共振周波数を有するコイルをプリントした共振タグを被検出体に貼り付け、その共振タグに向けて電波を当てて、その共振タグから反射される反射波に基づいて被検出体を検出する被検出体の検出方法であって、
前記共振タグを請求項１の検出用タグにして、前記反射波を強くしたことを特徴とする被検出体の検出方法。
【請求項４】
印刷紙の種類に対応した共振周波数を有するコイルをプリントした共振タグを貼り付けるとともに、その印刷紙を巻回する紙管であって、
前記共振タグを請求項１の検出用タグにしたことを特徴とする紙管。
【請求項５】
印刷紙を巻回するとともに、その印刷紙の種類に対応した共振周波数を有するコイルをプリントした共振タグを紙管に貼り付け、共振タグに向けてそれぞれ周波数の異なる電波を順次当てていき、その共振タグから反射される各反射波のうち、最も強い反射波の電波の周波数に基づいて前記印刷紙の種類を判別する印刷紙の判別方法であって、
前記共振タグを請求項１の検出用タグにして、前記反射波を強くしたことを特徴とする印刷紙の判別方法。
【発明の詳細な説明】
【０００１】
【発明が属する技術分野】
この発明は、検出用タグ、この検出用タグを利用した被検出体、この被検出体の検出方法、検出用タグを貼り付けた紙管、及びその紙管に巻回された印刷紙の判別方法に関する。
【０００２】
【従来の技術】
従来から、図５に示すように、印刷紙の種類に対応した共振周波数を有するコイル３Ａをプリントした共振タグ３を用いて印刷紙の種類を判別する判別方法が知られている。かかる判別方法は、紙管１の表面２に貼り付けた共振タグ３に向けてそれぞれ周波数の異なる電波を順次当てていき、その共振タグ３から反射される反射波の周波数に基づいて、紙管に巻回された印刷紙の種類を判別する。そして、プリンタは判別した印刷紙の種類に対応したスピードや熱量等の印刷環境でその印刷紙に印字を行っていく。
【０００３】
【発明が解決しようとする課題】
しかしながら、他の機器に妨害電波とならないように共振タグに当てる電波は微弱に制限されており、このため、共振タグから反射される反射波も微弱なものとなる。このため、例えば紙管の筒内に共振タグを貼り付けてしまうと、その反射波はさらに微弱なものとなり、印刷紙の種類を判別することができなくなるという問題があった。
【０００４】
また、盗難防止のために商品に共振タグ（検出用タグ）３を貼り付けておき、レジにおいてその商品の支払いを済ませた場合、レジで共振タグ３に強い出力信号を当ててコイル３Ａを破壊して共振タグ３から反射波が出力しないようにしておき、出入口に設けたアンテナから共振タグ３に電波を当ててその共振タグ３からの反射波を受信することにより、その商品がレジを済ませているか否かを判断して盗難の防止を図っている。
【０００５】
しかし、共振タグ３からの反射波が弱いため、アンテナの本数を増加させて対応することが必要であり、また、出口の幅も反射波がアンテナにより受信可能な広さに限定されるため、余裕のある出口幅を確保することができないという問題があった。
【０００６】
さらに、アンテナと共振タグ３との距離が大きいと、コイル３Ａが破壊されていない共振タグ３であっても、その共振タグ３からの反射波がさらに微弱となり、その商品がレジを済ませているか否かの判断が困難なものとなり、商品の盗難を確実に防止することができないという問題があった。
【０００７】
この発明の目的は、検出用タグとアンテナとの距離を短くすることなく、その検出用タグから反射される反射波を強くすることのできる検出用タグと被検出体と被検出体の検出方法と紙管と印刷紙の判別方法を提供することにある。
【０００８】
【課題を解決するための手段】
上記目的を達成するため、請求項１の発明は、所定の共振周波数を有するコイルをプリントした第１共振タグを備えた検出用タグであって、
前記第１共振タグの隣接位置にその第１共振タグと同一の共振周波数を有する第２共振タグを備え、
この第２共振タグは、第１共振タグのコイルの巻回方向と逆向にプリントされたコイルを有することを特徴とする。
【０００９】
請求項２の発明は、被検出体を検出するために請求項１の検出用タグを前記被検出体に貼り付けたことを特徴とする。
【００１０】
請求項３の発明は、所定の共振周波数を有するコイルをプリントした共振タグを被検出体に貼り付け、その共振タグに向けて電波を当てて、その共振タグから反射される反射波に基づいて被検出体を検出する被検出体の検出方法であって、前記共振タグを請求項１の検出用タグにして、前記反射波を強くしたことを特徴とする。
【００１１】
請求項４の発明は、印刷紙の種類に対応した共振周波数を有するコイルをプリントした共振タグを貼り付けるとともに、その印刷紙を巻回する紙管であって、前記共振タグを請求項１の検出用タグにしたことを特徴とする。
【００１２】
請求項５の発明は、印刷紙を巻回するとともに、その印刷紙の種類に対応した共振周波数を有するコイルをプリントした共振タグを紙管に貼り付け、共振タグに向けてそれぞれ周波数の異なる電波を順次当てていき、その共振タグから反射される各反射波のうち、最も強い反射波の電波の周波数に基づいて前記印刷紙の種類を判別する印刷紙の判別方法であって、
前記共振タグを請求項１の検出用タグにして、前記反射波を強くしたことを特徴とする。
【００１３】
【発明の実施の形態】
以下、この発明に係る実施の形態を図面に基づいて説明する。
［第１実施形態］
この発明に係る検出用タグと被検出体とこの被検出体の検出方法の第１実施形態を図１および図２に基づいて説明する。
【００１４】
図１に示す２０は検出用タグであり、この検出用タグ２０は、台紙２１に共振タグ８，９を互いに隣接して貼ったものである。
【００１５】
共振タグ（第１共振タグ）８は、プリントされたコイル８Ａを備えており、このコイル８Ａは所定の周波数で共振するように設定されている。共振タグ（第２共振タグ）９は、プリントされたコイル９Ａを備えており、このコイル９Ａは共振タグ８のコイル８Ａと同一周波数で共振するように設定されている。そして、共振タグ８のコイル８Ａの巻回方向と共振タグ９のコイル９Ａの巻回方向とが互いに逆方向となっている。
【００１６】
図２は商品（被検出体）３０に検出用タグ２０を貼ったものである。この検出用タグ２０にはレジ（図示せず）にて強い出力信号（電磁波）を当ててその検出用タグ２０の各コイル８Ａ，９Ａを破壊する。この破壊した各コイル８Ａ，９Ａに所定周波数の電波を当ててもその破壊した各コイル８Ａ，９Ａから反射波は出力されない。
【００１７】
レジを済ませていない商品３０の検出用タグ２０には強い出力信号が当てられておらず、その検出用タグ２０の各コイル８Ａ，９Ａは破壊されていない。したがって、出入口に設けたアンテナ（図示せず）から所定周波数の電波が検出用タグ２０の各コイル８Ａ，９Ａに当てられると、各コイル８Ａ，９Ａから反射波が発生する。
【００１８】
ところで、検出用タグ２０の各コイル８Ａ，９Ａの巻回方向が互いに逆向きになっているので、コイル８Ａ，９Ａ同士の相互誘導作用により、共振タグ８，９に共振周波数の電波を与えると、逆起電流が増加して強い反射波が発生する。この強い反射波により、商品３０がレジを済ませたか否かを確実に検出することができ、商品の盗難を確実に防止することができる。また、反射波が強くなることにより、出入口を広くする場合であってもアンテナ数を増やさずに、商品の盗難を確実に防止することができる。すなわち、商品の検出を確実に行うことができる。
【００１９】
この実施形態では、台紙２１とともに共振タグ８，９を商品３０に貼り付けているが、台紙２１を省略して共振タグ８，９を商品３０に直接貼り付けても良い。
［第２実施形態］
次に、第１実施形態の共振タグ８，９を利用して紙管に巻回される印刷紙の判別方法について説明する。
【００２０】
まず、図３において、５はこの発明に係る紙管であり、紙管５には感熱紙（印刷紙）１１が巻回され、この感熱紙１１は送りローラ７によって印刷機の印字部に送り出されていく。紙管５の筒内６には図２に示すように２枚の共振タグ８，９が互いに隣接して貼り付けられている。
【００２１】
１０はそれぞれ異なる周波数の電波を共振タグ８，９に当てるアンテナであり、このアンテナ１０は共振タグ８，９から反射される反射波を受信するようになっている。
【００２２】
この紙管５を用いて感熱紙１１の判別を行う場合、上述したようにアンテナ１０からそれぞれ異なる周波数の電波を共振タグ８，９に順次当てていき、その反射波の電波の周波数から感熱紙の種類を判別する。
【００２３】
その際、共振タグとして同一共振周波数のものを２枚（共振タグ８，９）、それらのコイル８Ａ，９Ａの巻回方向が互いに逆向きになるように貼り付けたことにより、コイル８Ａ，９Ａ同士の相互誘導作用により、共振タグ８，９に共振周波数の電波を与えると、逆起電流が増加して反射波の到達距離が伸びることとなる。
【００２４】
これにより、共振タグ８，９とアンテナとの距離を短くすることなく、共振タグ８，９から反射される反射波を強くすることができる。このため、紙管５の筒内６に共振タグ８，９を貼り付けても感熱紙１１の判別を確実に行うことができる。
【００２５】
【発明の効果】
以上説明したように、請求項１の発明によれば、検出用タグとアンテナとの距離を短くすることなく、その検出用タグから反射される反射波を強くすることができる。
【００２６】
請求項２の発明によれば、被検出体の第１，第２共振タグとアンテナとの距離を短くすることなく、その第１，第２共振タグから反射される反射波を強くすることができる。
【００２７】
請求項３の発明によれば、被検出体を確実に検出することができる。
【００２８】
請求項４の発明よれば、紙管に貼り付けた第１，第２共振タグとアンテナとの距離を短くすることなく、その第１，第２共振タグから反射される反射波を強くすることができる。
【００２９】
請求項５の発明によれば、印刷紙の判別を確実に行うことができる。
【図面の簡単な説明】
【図１】検出用タグを示した平面図である。
【図２】商品に検出用タグを貼り付けた状態を示した説明図である。
【図３】印刷紙の判別方法を示す説明図である。
【図４】紙管内に共振タグを貼った状態を示した説明図である。
【図５】従来の印刷紙の判別方法に用いる紙管を示した説明図である。
【符号の説明】
５　　　　　紙管
６　　　　　　筒内
８　　　　　　共振タグ
９　　　　　共振タグ
８Ａ，９Ａ　　コイル
１０　　　　　　　　アンテナ
１１　　　　　　　感熱紙
２０　　　　　　　　検出用タグ
３０　　　　　　　　商品（被検出体）
【図１】
2004075366.tif 000003
【図２】
2004075366.tif 000004
【図３】
2004075366.tif 000005
【図４】
2004075366.tif 000006
【図５】
2004075366.tif 000007